(57)【要約】      （修正有）【課題】ＯＦＤＭＡベースシステムのための設計方法を提供する。【解決手段】チャンネル帯域幅、ＦＦＴサイズ、サイクルプレフィックス長さ、副搬送波間隔などを含むシステムパラメータは長時間遅延チャンネル拡散効果に基づき決定される。副搬送波のパイロット記号およびデータ記号割り当てを含む記号構造は、アップリンク、ダウンリンクシステム両方の基本的タイル構造およびクラスタ構造を調節することにより定義される。インターリーブパラメータは、長時間チャンネル遅延高周波数選択的フェーディング効果によるバースト性エラー軽減を助けるために定義される。この設計方法はパケットオーバーヘッドを効果的に減少させ、システムデータ速度を改善する。拡散チャンネルが１０マイクロ秒を超える長時間遅延の場合でも、ビット誤り率性能は維持される。【選択図】図４
2012217114.tif 000002
【特許請求の範囲】
【請求項１】
直交周波数分割多元接続システムで実施する方法において、
（ａ）チャンネル帯域幅、副搬送波間隔、ＦＦＴサイズ、サイクリックプレフィックス長さを選択することと；
（ｂ）パイロット記号パターンを定義することと；
（ｃ）タイル構造を定義することと；
（ｄ）クラスタ構造を定義することと；
（ｅ）データおよびパイロット記号のための副搬送波のスキームを割り当てることと；
（ｆ）インターリーブ技術を定義することと；
（ｇ）副搬送波置換スキームを定義することと；
（ｈ）変調およびコーティングスキームを使用することとから成ることを特徴とする方法。
【請求項２】
アップリンク伝送システムにおいて、
（ａ）記号構造を調節することと；
（ｂ）各タイル構造のパイロット記号数を減少させることと；
（ｃ）インターリーバ深さを調節することとから成ることを特徴とする請求項１に記載の方法。
【請求項３】
ダウンリンク伝送システムにおいて、
（ａ）記号構造を調節することと；
（ｂ）各タイル構造のＯＦＤＭＡ記号数を変更することと；
（ｃ）パイロット記号パターンを変更することと；
（ｄ）図５に定義するインターリーバ深さを調節することとから成ることを特徴とする請求項１に記載の方法。
【発明の詳細な説明】
【技術分野】
【０００１】  本発明は、一般的に直交周波数分割多元接続（ＯＦＤＭＡ）システムに関し、特にＯＦＤＭＡデータおよびパイロット記号構造、システムパラメータ選択、インターリーブ技術に関する。本発明は、公共ブロードバンドネットワークシステムあるいはその他のＯＦＤＭＡベースのワイヤレス通信システムに使用することができる。実用化までに要する時間は半年未満と推定される。
【背景技術】
【０００２】  ＯＦＤＭＡシステムは、推定チャンネルパラメータに基づきデータを回復するためのワイヤレスチャンネルの情報を必要とする。各ＯＦＤＭＡ記号の副搬送波はデータおよびパイロット信号に割り当てられる。受信されるパイロット信号は、システムの送信器のもとのパイロットメッセージと比較することにより、チャンネル遅延プロフィールを推定するために使用される。求めたチャンネルプロフィールは、チャンネル等化、およびマルチパス周波数選択的フェーディングに対処するために使用される。通信範囲が広い場合、最大チャンネル遅延拡散速度は１０ｍｓである。ＩＥＥＥ８０２．１６ｅＯＦＤＭＡシステムなどの典型的なＯＦＤＭＡシステムは、１．２５から５ＭＨｚの帯域幅で操作されるとき、サイクリックプレフィックス長さが短いために長時間遅延プロフィールに対処することができない（図１参照）。ＯＦＤＭＡシステムが提供するデータ速度もまた、ビデオストリームなどの高速データ伝送をサポートするには十分でない。【０００３】  図２は、ワイヤレス基準ＩＥＥＥ８０２．１６ｅに定義されるダウンリンクおよびアップリンク
2012217114.tif 000003
号３個）と定義されるタイル構造になる。ダウンリンクシステムのパイロットパターンはクラスタ構造になる。パイロット記号４個が各クラスタに含まれ、クラスタは（副搬送波１４
2012217114.tif 000004
ダウンリンクでそれぞれ２：１、６：１である。オーバーヘッドは高く、システムは、７Ｍｂｐｓ以上のアップリンク伝送速度を必要とする高品位テレビなどの高速データ伝送をサポートすることはできない。
【発明の概要】
【０００４】  本発明は、高周波数選択的フェーディング効果を解決するためのＯＦＤＭＡシステム設計方法を提供する。本発明はまた、オーバーヘッドを軽減するための最適ＯＦＤＭＡ記号構造を提供する。本発明は、公共ブロードバンドネットワークシステムおよびその他のＯＦＤＭＡベースのワイヤレス通信システムの１７０ＭＨｚから２０５ＭＨｚの周波数帯域で使用することができる。記号構造は、各ＯＦＤＭＡ記号にデータおよびパイロット副搬送波を配置することにより定義される。このＯＦＤＭＡ記号構造により、システムデータ速度を同一レベルのＳＮＲについて３０％近く増すことができ、パケットオーバーヘッドは１／７になる。
【図面の簡単な説明】
【０００５】
【図１】図１（先行技術）は、ＷｉＭａｘＰＵＳＣで使用されるＯＦＤＭＡパラメータを説明する。
【図２】図２（先行技術）は、ワイヤレス基準ＩＥＥＥ８０２．１６ｅで定義されるダウンリンクおよびアップリンクＯＦＤＭＡ記号構造を説明する。
【図３】図３は、提案するＯＦＤＭＡシステムパラメータを定義する。
【図４】図４は、アップリンク通信についての提案パイロットパターンの実施例を示す。
【図５】図５は、アップリンク通信についての提案インターリーブの実施例を示す。
【図６】図６は、先行技術のビット誤り率性能を示す。
【図７】図７は、提案システムのビット誤り率性能を示す。
【発明を実施するための形態】
【０００６】  本発明は、パイロットパターンの定義、ＯＦＤＭＡシステムパラメータ設計、対応するインターリーバから成る。システムは、ＩＥＥＥ８０２．１６ｅ基準に定義される副搬送波割り当て、インターリーブ、ＦＥＣコーディング、サブチャンネル置換を採用する必要がある。提案システムパラメータを採用することにより、提案パイロットパターンおよびインタールーバを使用する。システムは、アップリンク伝送について高速データ伝送サポートを提供することができる。
【０００７】  アップリンク伝送のための高データ速度サポートは、ＯＦＤＭＡ記号構造のパイロット記号パターンを変更することにより実施される。提案される記号構造は各ＯＦＤＭ記号のパイロット記号の割合を減らし、これによりオーバーヘッドを減少させ、データ速度を増加させる。
【０００８】  本発明は、ＯＦＤＭＡ記号構造を定義し、５ＭＨｚチャンネル帯域幅のＯＦＤＭＡシステムをサポートする。提案されるＯＦＤＭＡパラメータを図３に定義する。１０２４ＦＦＴサイズを使用し、保護副搬送波数は１８４である。サイクリックプレフィックス長さは２２．８マイクロ秒であり、１０マイクロ秒を超える長時間のチャンネル遅延プロフィールに対処することができる。
【０００９】  図４は、アップリンク伝送のための提案パイロットパターンの実施例である。タイルは、
2012217114.tif 000005
記号７個）により形成される。データとパイロット副搬送波の比率はアップリンクで６：１であり、大きく改善され、提案される記号構造を使用することによりデータ速度を上げることができる。
【００１０】  図５は、アップリンク伝送のための提案インターリーブの実施例である。Ｎ＿ｃｂｐｓはエンコードされるブロックの長さ、ｄはコードワード長さ、ｋは置換前のデータのインデックス、Ｍ＿ｋは置換後のデータのインデックスである。置換は［数１］により定義される。
【数１】
2012217114.tif 000006
このとき、ｋ＝０，１，・・・，Ｎ＿ｃｂｐｓ−１，ｄ＝１８．
【００１１】  図６、７は、先行技術、本発明それぞれの場合のビット誤り率性能を示す。実施例から、本発明が同等のＢＥＲ性能を提供し、ヘッダを減少させ、データ速度を上げることがわかる。
【図１】
2012217114.tif 000007
【図２】
2012217114.tif 000008
【図３】
2012217114.tif 000009
【図４】
2012217114.tif 000010
【図５】
2012217114.tif 000011
【図６】
2012217114.tif 000012
【図７】
2012217114.tif 000013
【外国語明細書】
2012217114.tif 000014
2012217114.tif 000015
2012217114.tif 000016
2012217114.tif 000017
2012217114.tif 000018
2012217114.tif 000019
2012217114.tif 000020
2012217114.tif 000021